(57)【要約】【課題】  画像処理装置の給紙カセットとカプリングとの間に用紙が挟まると、給紙が行われない。給紙ができない状態となると、ユーザは、サービスマンを呼んで給紙ができない状態を解消してもらう必要がある。よって、サービスマンが修理に来るまでの間、ユーザは印刷、複写等を行うことができない。【解決手段】本発明の画像処理装置は、カプリングに２つの電極を設ける。２つの電極は、給紙カセットの回転軸の先端とカプリングがかみ合ったときに、導電性のある回転軸の先端に接触することで導通する。回転軸の先端とカップリングとの間に用紙が挟まっている場合、用紙が邪魔して電極と回転軸の先端が接触できない。電極が導通しない場合、本発明の画像読取装置は、給紙カセットと画像処理装置の間に用紙が挟まっている旨をユーザに報知する。この報知により、ユーザは、自分で挟まった用紙を取り除くことで、給紙できない状態を解消することができる。【選択図】図１
2005104697.tif 000002
【特許請求の範囲】
【請求項１】
底板及び回転運動にて上記底板を上昇させる回転軸を有する取り外し可能な給紙カセットと、上記給紙カセットが収納されると、上記回転軸の先端にかみ合ってモータの回転力を上記回転軸に伝えるカプリングとを備えた画像処理装置において、
上記回転軸の先端に導電性があり、
上記カプリングに、上記回転軸とかみ合ったときに、上記回転軸の先端と接触して導通する２つの電極を備え、
上記電極が導通しているか否かに基づいて、上記回転軸の先端とカップリングとのかみ合わせを検知する検知手段を備えたことを特徴とする画像処理装置。
【発明の詳細な説明】
【技術分野】
【０００１】
本発明は、プリンタ、複写機、複合機等の給紙カセットを備えた画像処理装置に関する。
【背景技術】
【０００２】
図４は、画像処理装置から取り外し可能な給紙カセット１００を示す。特開平１１−７９４２０号公報に記載のように、給紙カセット１００は、側板１０１と用紙１０２を載置する底板１０３とから構成されている。側板１０１の２箇所と、底板１０３の２箇所に立設された接続部１０４に連結孔１０５が設けられている。各連結孔１０５は図示しないピンを介して連結されており、底板１０３は、連結孔１０５を中心に側板１０１に対して回転自在となっている。
【０００３】
底板１０３の下面には、底板１０３を側板１０１に対して回転させる回転軸１０６が、給紙カセット１００の取り出し方向に向けて配置されている。
【０００４】
回転軸１０６はアーム１０７を備え、回転軸１０６が回転することで、アーム１０７が底板１０３を押上げる。底板１０３の上昇で、給紙カセット１００内の用紙が図示しない給紙ローラに当接し、給紙が行われる。回転軸１０６の画像処理装置側の先端は、底板１０３から突出しており、複数のピン１０８が設けられている。回転軸１０６の画像処理装置側の先端は、給紙カセット１００が画像処理装置の収納部に収納されると、画像処理装置に固定されたカプリング１０９にかみ合う。カプリング１０９の周囲は、ピン１０８を嵌合する溝１１１が設けられている。回転軸１０６の画像処理装置側の先端とカプリング１０９がかみ合うと、ピン１０８が上記溝１１１に嵌合する。
【０００５】
カプリング１０９は、モータ１１０によって駆動され、かみ合った回転軸１０６を回転させることができる。
【０００６】
画像処理装置は、給紙カセット１００が収納される部分の上方に図示しない給紙ローラを備える。画像処理装置は、給紙カセット１００が押込まれたことを検知する収納センサが設けられ、給紙カセットが収納されたことを収納センサが検知すると、モータ１１０を駆動して、回転軸１０６で底板１０３を上昇させる。底板１０３が上昇することにより、給紙ローラに用紙１０２が当接し、給紙ローラが用紙１０２を給紙できる状態になる。
【特許文献１】特開平１１−７９４２０号公報
【発明の開示】
【発明が解決しようとする課題】
【０００７】
画像処理装置から給紙カセット１００が引き出される時に、給紙カセット１００に収納されている用紙が給紙カセット１００を収納する収納部の筐体等に引っかかり、収納部内に落ちることがある。収納部内に用紙１０２が落ちているときに給紙カセット１００を収納部に収納しようとすると、図５に示すように、回転軸１０６の先端とカプリング１０９の間にその用紙１０２が挟まれることがある。画像処理装置は、用紙１０２が挟まれているかどうかに関わらず、収納センサが給紙カセット１００が収納されたことを検知すると、上記モータ１１０を駆動させる。
【０００８】
回転軸１０６の先端とカプリング１０９との間に用紙１０２が挟まれた場合、図５に示すように、回転軸１０６とカプリング１０９かみ合わず、ピン１０８が溝１１１と嵌合できない。従って、モータ１１０が駆動しても、モータ１１０の回転力が回転軸１０６に伝達されないので、底板１０３は上昇しない。そのため、その給紙カセットからの給紙は不可能になり、サービスマンコール等が発生する。
【０００９】
ユーザは、給紙が行われないと、サービスマン等を呼んで給紙ができない状態を解消してもらう必要がある。従って、ユーザは、サービスマンが修理に来て、給紙できない状態が解消するまでの間、上記給紙カセットで印刷、複写等をすることができない。
【００１０】
ところが、回転軸の先端とカプリングの間に用紙が挟まった場合、用紙を取り除けば給紙ができない状態が解消される。用紙を取り除く作業は容易であるので、ユーザでも簡単に行うことができる。
【００１１】
そこで、本発明の画像処理装置は、回転軸の先端とカプリングの間に用紙が挟まることで発生する給紙できない状態を素早く解消するために、回転軸の先端とカプリングの間に用紙が挟まったことを検知してユーザに知らせる画像処理装置を提供することを目的とする。
【課題を解決するための手段】
【００１２】
本発明の画像処理装置は、カプリングに２つの電極を設ける。２つの電極は、回転軸の先端とカプリングがかみ合ったときに、導電性を有する回転軸の先端に接触することで導通する。回転軸の先端が導電性のない物質でできている場合、回転軸の先端に導電性を確保するために、導電性のある物質で回転軸の先端を覆っておく。
【００１３】
回転軸の先端とカップリングとの間に用紙が挟まった場合、用紙が邪魔して電極が回転軸の先端と接触できないので、電極が導通しない。
【００１４】
本発明の画像処理装置は、給紙カセットが収納された状態で電極が導通しない場合、給紙カセットと画像処理装置の間に用紙が挟まっている旨をユーザに報知する。
【発明の効果】
【００１５】
給紙カセットと画像処理装置の間に用紙が挟まった旨が報知されるので、ユーザは、給紙されない原因を知ることができる。給紙されない原因が給紙カセットと画像処理装置の間に用紙が挟まったことであると知ると、ユーザは、自分で用紙を取り除いて給紙できない状態を解消させることができる。ユーザが給紙できない状態を解消させる場合、サービスマンを呼び出したりする必要が無い。また、ユーザが給紙できない状態を解消させる場合、サービスマンを呼び出して給紙できない状態を解消してもらう場合に比べて、給紙できない状態を早く解消することができる。また、ユーザが用紙を取り除けば、サービスマンがユーザに呼び出される回数も減る。
【発明を実施するための最良の形態】
【００１６】
本発明の画像読取装置が備える給紙カセット１００は、従来と同様に、図４に示すように側板１０１と底板１０３から構成され、底板１０３が側板１０１に対して回転自在となっている。底板１０３の下面には、従来と同様に回転軸１０６が配置されている。本実施の形態では、上記回転軸１０６の素材は導電性のある金属である。
【００１７】
回転軸１０６の先端とかみ合うカプリング１０９は、図１に示すように、回転軸１０６の先端に設けられたピン１０８が嵌合する溝１１１が周囲に設けられ、中心には、２つの電極２０２、２０３が設けられている。
【００１８】
給紙カセット１００が画像処理装置の収納部に収納されると、図２（ａ）に示すように、ピン１０８が溝１１１に嵌合し、回転軸１０６の画像処理装置側の先端がカプリング１０９とかみ合う。カプリング１０９が回転軸１０６の先端とかみ合うと、電極２０２、２０３が回転軸の先端と接触する。電極２０２、２０３が回転軸１０６の先端と接触しやすいように、電極２０２、２０３をカプリング１０９から回転軸１０６の先端側にバネ等の付勢手段で付勢させてもよい。カプリング１０９と回転軸１０６の先端がかみ合った場合、電極２０２、２０３が導電性のある回転軸１０６の先端を介して導通する。
【００１９】
給紙カセット１００が画像処理装置の規定された位置に押し込められたときに、回転軸１０６の先端とカプリング１０９との間に用紙１０２が挟まった場合、図２（ｂ）に示すように、用紙１０２が邪魔となって、ピン１０８が溝１１１に嵌合できず、また、電極２０２、２０３が、回転軸１０６の先端と接触できない。従って、用紙１０２が挟まっているときは電極２０２、２０３が導通しない。
【００２０】
回転軸１０６の先端とカプリング１０９との間に用紙１０２が挟まった場合、従来と同様に、モータ１１０の回転力がカプリング１０９から回転軸１０６に伝達されないので、モータ１１０を駆動しても底板１０３は上昇しない。
【００２１】
上記電極が導通しているか否かは、図３に示す検知手段２１０が検知している。上記検知手段２１０は、上記電極２０２、２０３のうち1つの電極２０２と電線で接続されている。この電線は、電極２０２と上記検知手段２１０の間でプルアップ抵抗２２１と接続されている。上記電極２０２、２０３のうち、上記検知手段２１０と接続されていない電極２０３は、アース２２２と接続されている。
【００２２】
上記画像処理装置は、従来と同様に給紙カセット１００が収納されたことを検知する収納スイッチ２１１を備える。この収納スイッチ２１１が給紙カセット１００が収納されたことを検知すると、上記モータ１１０を制御するモータ制御手段２１２は、底板１０３を上昇させるためにモータ１１０を駆動させる。
【００２３】
一方、上記検知手段２１０は、収納スイッチ２１１にて給紙カセット１００が収納されたことが検知されると、電極２０２、２０３が導通しているかどうかを確認する。電極２０２、２０３が導通していない場合、上記検知手段２１０は、上記モータ制御手段２１２に電極２０２、２０３が導通していない旨を通知する。
【００２４】
電極２０２、２０３が導通していない旨が通知されると、上記モータ制御手段２１２は、モータ１１０を停止させる。一方、上記検知手段２１０は、電極２０２、２０３が導通していない旨を通知すると、給紙カセット１００と画像処理装置の間に用紙１０２が挟まっている旨を報知する。上記報知方法は、限定されるものではない。例えば、この報知を、画像処理装置に備えられたLCD等で表示することで行ったり、画像処理装置のスピーカで報知したりする。
【００２５】
この報知により、ユーザは、給紙カセット１００と画像処理装置の間に用紙１０２が挟まっている旨を知ると、給紙カセット１００を引き出して、挟まっていた用紙１０２を取り除き、給紙カセット１００を収納する。挟まっていた用紙１０２を取り除いたことで、電極２０２、２０３が接触して導通すると共に、回転軸１０６の先端とカプリング１０９がかみ合う。これにより、モータ１１０が駆動することで、底板１０３が上昇できる状態となる。
【００２６】
上記では、上記モータ制御手段２１２は、収納スイッチ２１１が給紙カセット１００が収納されたことを検知すると、上記モータ１１０を駆動させているが、モータ１１０の駆動は、電極２０２、２０３の導通が確認されてから行ってもよい。例えば、上記検知手段２１０は、電極２０２、２０３が導通している場合、上記モータ制御手段２１２に電極２０２、２０３が導通している旨を通知する。上記モータ制御手段２１０は、電極２０２、２０３が導通している旨が通知された時点で上記モータ１１０を駆動させる。
【図面の簡単な説明】
【００２７】
【図１】カプリングとモータの外観図である。
【図２】用紙が挟まっているときと挟まっていないときのカプリングと回転軸の先端のかみ合わせる際の外観図。
【図３】画像処理装置の機能ブロック図である。
【図４】給紙カセットの分解斜視図である。
【図５】回転軸とカプリングの間に用紙が挟まっている図。
【符号の説明】
【００２８】
１００  給紙カセット
１０１  側板
１０２  用紙
１０３  底板
１０６  回転軸
１０９  カプリング
１１０  モータ
２０２  ２０３  電極
２１０  検知手段
２１２  モータ制御手段
【図１】
2005104697.tif 000003
【図２】
2005104697.tif 000004
【図３】
2005104697.tif 000005
【図４】
2005104697.tif 000006
【図５】
2005104697.tif 000007